(57)【要約】【課題】自動車等の車両でデジタル放送番組を予約録画する場合でも録画開始までの残り時間を逐次変更する必要の無い受信管理装置及びプログラムを提供する。【解決手段】予約された番組の再生又は録画の開始基準となる時刻情報に、従来使用していたデジタル放送波に含まれる時刻情報を使用せず、ＧＰＳ衛星からの電波を受信して得られる時刻情報を用いる。これにより、自動車等の車両で移動しながら放送番組の再生又は録画を行う場合でも、受信する中継局からの放送波ごとに放送波に含まれる時刻情報が異なることに伴う録画開始までの残り時間の変更操作が不要となり、面倒くささや煩わしさから開放できる。【選択図】図１
2006054538.tif 000002
【特許請求の範囲】
【請求項１】
予約されたデジタル放送番組を再生又は録画するための時間を管理する受信管理装置において、
測位衛星からの電波を受信する測位衛星受信手段と、
予約された番組の再生又は録画を開始するための時刻の基準を前記測位衛星受信手段で受信された電波に含まれる時刻情報とし、該再生又は録画を終了するための時刻の基準をデジタル放送波に含まれる時刻情報とする時間管理手段と、
を備える受信管理装置。
【請求項２】
予約されたデジタル放送番組を再生又は録画するための時間を管理する受信管理装置において、
時刻情報がのせられた標準電波を受信する標準電波受信手段と、
予約された番組の再生又は録画を開始するための時刻の基準を前記標準電波受信手段で受信された電波に含まれる時刻情報とし、該再生又は録画を終了するための時刻の基準をデジタル放送波に含まれる時刻情報とする時間管理手段と、
を備える受信管理装置。
【請求項３】
請求項１又は請求項２に記載の受信管理装置を備えるデジタル放送受信装置。
【請求項４】
請求項１又は請求項２に記載の受信管理装置を備えるカーテレビ装置。
【請求項５】
予約されたデジタル放送番組を再生又は録画するための時間を管理する受信管理装置に用いられるプログラムにおいて、
測位衛星から送信された電波を受信する測位衛星受信装置から時刻情報を取得する時刻取得手順と、
予約された番組の再生又は録画を開始するための時刻の基準を前記時刻取得手順で取得された時刻情報とし、該再生又は録画を終了するための時刻の基準をデジタル放送波に含まれる時刻情報とする時間管理手順と、
をコンピュータに実行させるプログラム。
【請求項６】
予約されたデジタル放送番組を再生又は録画するための時間を管理する受信管理装置に用いられるプログラムにおいて、
時刻情報を含む標準電波を受信する標準電波受信装置から時刻情報を取得する時刻取得手順と、
予約された番組の再生又は録画を開始するための時刻の基準を前記時刻取得手順で取得された時刻情報とし、該再生又は録画を終了するための時刻の基準をデジタル放送波に含まれる時刻情報とする時間管理手順と、
をコンピュータに実行させるプログラム。
【発明の詳細な説明】
【技術分野】
【０００１】
本発明は、デジタル放送受信装置に用いて好適な受信管理装置及びプログラムに関する。
【背景技術】
【０００２】
従来、デジタル放送受信装置では、トランスポートストリームを受信して、番組予約を受け付けるための予約番組を制御する予約制御情報（ＲＣＩ）を抽出し、それを放送番組の映像に重ねて予約画面を出力する。また、視聴者からの指示により、番組予約を受け付けて番組を特定した予約情報を記憶し、予約情報に従って番組録画を行った後、視聴者からの再生指示があると、予約情報で特定された番組を再生出力する。
【０００３】
ところで、デジタル放送では、映像と音声の圧縮や拠点間の転送（中継）等の処理によって数秒程度の遅延が生じてしまう。また、自動車等の車両でデジタル放送を受信する場合、移動に伴って受信する中継局の切り替えを行うようにしている。図１４は、車両での移動の様子を示した図であり、車両１００は、放送局２００から送信された放送波を直接又は各中継局３００を経由して受信する。中継局３００を経由して受信する場合、図中に示すように、実際に提示される時刻が放送局２００から送信される送出時刻に対して、遅延が生ずる。
【０００４】
また、予約録画を行う場合、受信する中継局からの放送波や放送局ごとに放送波に含まれる時刻情報が異なるために、録画開始までの残り時間を逐次変更する必要がある。従来は、トランスポートストリームに多重されたＴＤＴ（Time Data Table）を元に録画開始を行い、トランスポートストリーム中のＥＩＴ（Event Information Table）のstart_time（例えば１９：００）とduration（５４分）から終了時刻を算出し、終了時刻になると、録画を終了するようにしている（例えば、特許文献１参照）。
【０００５】
【特許文献１】特開平１１―２８４９６８号公報
【発明の開示】
【発明が解決しようとする課題】
【０００６】
しかしながら、自動車等の車両でデジタル放送番組を予約録画する場合、上述したように、受信する中継局からの放送波ごとに放送波に含まれる時刻情報が異なるために、録画開始までの残り時間を逐次変更しなければコンテンツの先頭から再生又は録画を行うことができず、その操作が面倒で煩わしいという問題がある。
【０００７】
本発明は、係る事情に鑑みてなされたものであり、自動車等の車両で移動しながら放送番組の再生又は録画を行う場合でも放送波の遅延に影響されずコンテンツの先頭から最後尾まで再生又は録画を行うことができる受信管理装置及びプログラムを提供することを目的とする。
【課題を解決するための手段】
【０００８】
上記目的は下記構成又はプログラムにより達成される。
（１）  予約されたデジタル放送番組を再生又は録画するための時間を管理する受信管理装置において、測位衛星からの電波を受信する測位衛星受信手段と、予約された番組の再生又は録画を開始するための時刻の基準を前記測位衛星受信手段で受信された電波に含まれる時刻情報とし、該再生又は録画を終了するための時刻の基準をデジタル放送波に含まれる時刻情報とする時間管理手段と、を備える。
【０００９】
（２）  予約されたデジタル放送番組を再生又は録画するための時間を管理する受信管理装置において、時刻情報がのせられた標準電波を受信する標準電波受信手段と、予約された番組の再生又は録画を開始するための時刻の基準を前記標準電波受信手段で受信された電波に含まれる時刻情報とし、該再生又は録画を終了するための時刻の基準をデジタル放送波に含まれる時刻情報とする時間管理手段と、を備える。
【００１０】
（３）  デジタル放送受信装置において、上記（１）又は（２）に記載の受信管理装置を備える。
【００１１】
（４）  カーテレビ装置において、上記（１）又は（２）に記載の受信管理装置を備える。
【００１２】
（５）  予約されたデジタル放送番組を再生又は録画するための時間を管理する受信管理装置に用いられるプログラムにおいて、測位衛星から送信された電波を受信する測位衛星受信装置から時刻情報を取得する時刻取得手順と、予約された番組の再生又は録画を開始するための時刻の基準を前記時刻取得手順で取得された時刻情報とし、該再生又は録画を終了するための時刻の基準をデジタル放送波に含まれる時刻情報とする時間管理手順と、をコンピュータに実行させる。
【００１３】
（６）  予約されたデジタル放送番組を再生又は録画するための時間を管理する受信管理装置に用いられるプログラムにおいて、時刻情報を含む標準電波を受信する標準電波受信装置から時刻情報を取得する時刻取得手順と、予約された番組の再生又は録画を開始するための時刻の基準を前記時刻取得手順で取得された時刻情報とし、該再生又は録画を終了するための時刻の基準をデジタル放送波に含まれる時刻情報とする時間管理手順と、をコンピュータに実行させる。
【発明の効果】
【００１４】
上記（１）に記載の受信管理装置では、予約された番組の再生又は録画の開始基準となる時刻情報に、従来使用していたデジタル放送波に含まれる時刻情報を使用せず、測位衛星（例えばＧＰＳ衛星）からの電波を受信して得られる時刻情報を用いるので、自動車等の車両で移動しながら放送番組の再生又は録画を行う場合でも、放送波の遅延に影響されず、コンテンツの先頭から最後尾まで再生又は録画を行うことができる。また、測位衛星から送信される電波を受信して得られる時刻情報を用いるので、内蔵時計を設ける場合と比べて高い精度の時刻情報を得ることができる。
【００１５】
上記（２）に記載の受信管理装置では、予約された番組の再生又は録画の開始基準となる時刻情報に、従来使用していたデジタル放送波に含まれる時刻情報を使用せず、時刻情報が含まれた標準電波を受信して得られる時刻情報を用いるので、自動車等の車両で移動しながら放送番組の再生又は録画を行う場合でも、放送波の遅延に影響されず、コンテンツの先頭から最後尾まで再生又は録画を行うことができる。また、標準電波を受信してそれに含まれる時刻情報を用いるので、内蔵時計を設ける場合と比べて高い精度の時刻情報を得ることができる。
【００１６】
上記（３）に記載のデジタル放送受信装置では、上記（１）又は（２）に記載の受信管理装置を備えるので、本装置を自動車等の車両に搭載して移動しながら放送番組の再生又は録画を行う場合でも、放送波の遅延に影響されず、コンテンツの先頭から最後尾まで再生又は録画を行うことができる。また、測位衛星から送信される電波又は時刻情報が含まれた標準電波を受信して得られる時刻情報を用いるので、内蔵時計を設ける場合と比べて高い精度の時刻情報を得ることができる。
【００１７】
上記（４）に記載のカーテレビ装置では、上記（１）又は（２）に記載の受信管理装置を備えるので、自動車等の車両で移動しながら放送番組の再生又は録画を行う場合でも、放送波の遅延に影響されず、コンテンツの先頭から最後尾まで再生又は録画を行うことができる。また、測位衛星から送信される電波又は時刻情報が含まれた標準電波を受信して得られる時刻情報を用いるので、内蔵時計を設ける場合と比べて高い精度の時刻情報を得ることができる。
【００１８】
上記（５）に記載のプログラムでは、予約された番組の再生又は録画の開始基準となる時刻情報に、従来使用していたデジタル放送波に含まれる時刻情報を使用せず、測位衛星（例えばＧＰＳ衛星）からの電波を受信して得られる時刻情報を用いるので、自動車等の車両で移動しながら放送番組の再生又は録画を行う場合でも、放送波の遅延に影響されず、コンテンツの先頭から最後尾まで再生又は録画を行うことができる。また、測位衛星から送信される電波を受信して得られる時刻情報を用いるので、内蔵時計を設ける場合と比べて高い精度の時刻情報を得ることができる。
【００１９】
上記（６）に記載のプログラムでは、予約された番組の再生又は録画の開始基準となる時刻情報に、従来使用していたデジタル放送波に含まれる時刻情報を使用せず、時刻情報が含まれた標準電波を受信して得られる時刻情報を用いるので、自動車等の車両で移動しながら放送番組の再生又は録画を行う場合でも、放送波の遅延に影響されず、コンテンツの先頭から最後尾まで再生又は録画を行うことができる。また、標準電波を受信してそれに含まれる時刻情報を用いるので、内蔵時計を設ける場合と比べて高い精度の時刻情報を得ることができる。
【発明を実施するための最良の形態】
【００２０】
以下、本発明を実施するための最良の形態について、図面を参照して詳細に説明する。
【００２１】
図１は、本発明の一実施の形態に係るデジタル放送受信装置の構成を示すブロック図である。この図において、本実施の形態に係るデジタル放送受信装置は、受信部１０と、ＴＳ（トランスポートストリーム）デコーダ部１１と、Ａ／Ｖデコーダ部１２と、再生部１３と、音声出力部１４と、映像出力部１５と、システムテーブル記憶部１６と、予約制御情報記憶部１７と、入力受信部１８と、受信制御部１９と、予約情報記憶部２０と、時間管理部２１と、ＧＰＳ受信部２２とを備えている。
【００２２】
受信部１０は、デジタル放送送信装置（図示略）から送信されてくるトランスポートストリームを受信し、受信制御部１９から指定されたtransport_stream_idに対応するトランスポートストリームのみをＴＳデコーダ部１１に入力する。ＴＳデコーダ部１１は、受信制御部１９により指定されたＰＩＤ（パケット識別子）を分離条件として、ＮＩＴ，ＳＤＴ，ＥＩＴ，ＰＡＴ，ＰＭＴ等の各システムテーブルを受信部１０から入力されるトランスポートストリームから抽出し、システムテーブル記憶部１６に書き込む。
【００２３】
また、ＴＳデコーダ部１１は、受信制御部１９により指定されたＰＩＤを有するプレゼンテーション情報を抽出し、Ａ／Ｖデコーダ部１２に入力する。また、ＴＳデコーダ部１１は、受信制御部１９により指定されたＰＩＤを分離条件としてＲＣＩを抽出し、予約制御情報記憶部２０に書き込む。Ａ／Ｖデコーダ部１２は、ＴＳデコーダ部１１から入力されるプレゼンテーション情報を復号し、再生部１３に入力する。
【００２４】
再生部１３は、受信制御部１９の制御に従い、Ａ／Ｖデコーダ部１２で復号されたプレゼンテーション情報を音声データと映像データとに分離する。再生部１３は、分離した音声データを音声信号に変換して音声出力部１４に入力する。また、再生部１３は、分離した映像データを映像信号に変換して映像出力部１５に音声信号と同期して入力する。この際、再生部１３は、受信制御部１９から番組予約のための表示要素情報の画面データを通知されている場合には、この画面データを分離した映像データに重ねて映像信号に変換し映像出力部１５に入力する。
【００２５】
音声出力部１４は、再生部１３から入力されるデジタル音声信号をそのまま、又は、アナログ音声信号に変換して外部のスピーカ（図示略）に入力する。映像出力部１５は、再生部１３から入力されるデジタル映像信号をＮＴＳＣ方式やＰＡＬ方式等に従い、アナログ映像信号に変換して外部のＣＲＴ等のディスプレイに入力する。また、再生部１３は、受信制御部１９より録画指示がある場合にはデジタル音声信号及びデジタル映像信号を図示せぬ記録装置に記録する（即ち録画する）。なお、再生部１３は、デジタル映像信号のまま外部のディスプレイに出力するようにしてもよい。
【００２６】
システムテーブル記憶部１６は、ＲＡＭ等からなり、ＴＳデコーダ部１１で抽出された各システムテーブルを記憶している。例えば、システムテーブル記憶部１６は、２００４年１月１日の１２時には、図２〜図６に示したＮＩＴ２０１、ＳＤＴ３０１、ＥＩＴ４０１、ＰＡＴ５０１、ＰＭＴ６０１を記憶している。また、視聴者により、番組「日本紀行」の第１話が予約されているときは、１月１日の２０時には、図２に示すＮＩＴ２０１の他に以下の図７〜図１０に示す各システムテーブルが記憶されている。
【００２７】
図７は、transport_stream_id「２」に対応するＳＤＴ７０１を示している。図８は、番組「日本紀行」の第１話の放送開始時刻「start_time」等の記載されたＥＩＴ８０１を示している。図９は、service_id「９」に対応するＰＡＴ９０１を示している。図１０は、番組「日本紀行」の第１話のプレゼンテーション情報のＰＩＤを記載したＰＭＴ１００１を示している。
【００２８】
予約制御情報記憶部１７は、ＲＡＭ等からなり、ＴＳデコーダ部１１で抽出されたＲＣＩを記憶している。図１２は、２００４年１月１日１２時から１２時５分までの間、予約制御情報記憶部１７に記憶される可能性のあるＲＣＩ１２０１を示している。このＲＣＩ１２０１は、表示制御情報１２０２、１２０３中にスクリプト「change_presentation0x0051」とパケット識別子でプレゼンテーション情報を識別していることのみがデジタル放送送信装置（図示略）に記憶されているＲＣＩと異なる。
【００２９】
図１に戻り、入力受信部１８は、視聴者のリモコン操作等による番組の選択、番組の録画、番組予約等の入力信号を受信する。受信した信号を受信制御部１９に通知する。受信制御部１９は、ＣＰＵと、トランスポートストリームの受信制御及びＲＣＩの解釈のための制御プログラムが格納されているＲＯＭと、作業用記憶領域であるＲＡＭとを有しており、制御プログラムに従い処理を行う。
【００３０】
予約情報記憶部２０は、不揮発性のＲＡＭ等からなり、視聴者による番組予約がなされた場合に、予約された番組を特定するＲＣＩ１２０１中の番組特定情報１２０４、１２０５、１２０６のいずれかの識別番号の組が記憶される。図１１は、視聴者により番組「日本紀行」の第１話が予約されたときの予約情報記憶部２０の記憶内容を示している。識別番号の組（８，２，９，３８）である予約情報１１０１は、「日本紀行」の第１話を特定するoriginal_network_id, transport_stream_id, service_id, event_idの組である。勿論、予約された番組が複数あるときには、この予約情報が複数記憶されている。また、予約情報１１０１に番組のstart_timeを併せて記録するようにして、このstart_timeの所定時間前に各システムテーブルの抽出を開始するようにしてもよい。
【００３１】
図１に戻り、ＧＰＳ受信部２２は、アンテナ２３を介してＧＰＳ衛星（測位衛星）から送信された電波を受信し、現在の時刻を示す時刻情報を時間管理部２１に入力する。時間管理部２１は、時間を管理しており、受信制御部１９からの時刻の問い合わせに対して、現在の時刻を通知する。ここで、放送波に含まれる時刻情報が、受信する中継局からの放送波ごとに異なるので、放送番組を予約録画する場合、時間管理部２１は、録画開始時にはＧＰＳ受信部２２から取得した時刻情報を受信制御部１９に通知し、録画終了時には放送波から取得した時刻情報を受信制御部１９に通知する。なお、時刻情報は、年、月、日、時刻の情報を含んでいる。
【００３２】
なお、上記受信制御部１９、時間管理部２１、ＧＰＳ受信部２２及びアンテナ２３は、受信管理装置３０を構成する。
【００３３】
次に、上記構成のデジタル放送受信装置における番組予約の録画動作について図１３のフローチャートを参照して説明する。先ず、受信制御部１９は、予約情報記憶部２０に予約情報１１０１が記憶されるのを待ち、予約情報１１０１に記載のtransport_stream_id=2に対応するトランスポートストリームを受信するよう受信部１０に指示し、ＰＩＤ「0x0012」をＴＳデコーダ部１１に通知し、ＥＩＴの抽出を指示する。受信制御部１９は、予約情報１１０１に記載したevent_id=38に対応する番組のstart_timeをシステムテーブル記憶部１６に記憶されたＥＩＴ８０１を参照して取得する。
【００３４】
さて、受信制御部１９は、時間管理部２１に現在時刻を問い合わせる。時間管理部２１は、ＧＰＳ受信部２２から時刻を取得し、受信制御部１９に通知する（ステップＳ１０）。受信制御部１９は、予約情報記憶部２０を参照し（ステップＳ１１）、時間管理部２１から通知された現在時刻が開始時刻と一致するか否かを判定する（ステップＳ１２）。受信制御部１９は、一致しなければ、ステップＳ１０に戻り、一致する場合には、システムテーブル記憶部１６に記憶されている対応する各システムテーブルを参照し、プレゼンテーション情報を識別するＰＩＤをＴＳデコーダ部１１に通知し、プレゼンテーション情報の抽出を指示する。
【００３５】
ＴＳデコーダ部１１は、予約番組のプレゼンテーション情報をＡ／Ｖデコーダ部１２に送出する。Ａ／Ｖデコーダ部１２は、プレゼンテーション情報を復号し、再生部１３に入力する。この場合、録画であるので、再生部１３からのデジタル音声信号及びデジタル映像信号が図示せぬ記録装置に入力され、録画が開始される（ステップＳ１３）。
【００３６】
すなわち、システムテーブル記憶部１６には、図２に示すＮＩＴ２０１と、図３〜図６にそれぞれ示すＳＤＴ３０１と、ＥＩＴ４０１と、ＰＡＴ５０１と、ＰＭＴ６０１とが記憶されている。これらの各システムテーブルに基づいて、ＰＩＤ「0x0080」、「0x0081」の映像データと音声データとがＴＳデコーダ部１１で抽出され、予約番組「日本紀行」の第１話の録画が開始される。
【００３７】
次に、受信制御部１９は、システムテーブル記憶部１６に記憶されているＥＩＴ１４０１のstart_timeとdurationとを読み出し、start_time_duration（再生終了時間）を計算し、時間管理部２１に時刻を問い合わせ、時間管理部２１は放送波から時刻情報を取得する（ステップＳ１４）。
【００３８】
そして、受信制御部１９は、予約情報記憶部２０を参照し（ステップＳ１５）、時間管理部２１から通知された現在時刻が終了時刻と一致するか否かを判定する（ステップＳ１６）。受信制御部１９は、一致しなければ、ステップＳ１４に戻って録画を継続し、一致する場合には、ＴＳデコーダ部１１にプレゼンテーション情報の抽出の停止指示を与えて、録画を終了させ、予約情報記憶部２０に記憶されている当該予約情報を消去させて本処理を終了する。
【００３９】
このように、本実施の形態のデジタル放送受信装置によれば、予約された番組の再生又は録画の開始基準となる時刻情報に、従来使用していたデジタル放送波に含まれる時刻情報を使用せず、ＧＰＳ衛星からの電波を受信して得られる時刻情報を用いるので、自動車等の車両で移動しながら放送番組の再生又は録画を行う場合でも、放送波の遅延に影響されず、コンテンツの先頭から最後尾まで再生又は録画を行うことができる。また、ＧＰＳ衛星から送信される電波を受信して得られる時刻情報を用いるので、内蔵時計を設ける場合と比べて高い精度の時刻情報を得ることができる。
【００４０】
なお、本実施の形態では、予約された番組の再生又は録画を開始するための時刻の基準をＧＰＳ受信部２２で受信した電波に含まれる時刻情報としたが、電波時計などで利用している標準電波に含まれる時刻情報としても構わない。この場合、標準電波受信手段としての装置をＧＰＳ受信部２２に置き換えれば良い。
【００４１】
また、本実施の形態は、デジタル放送受信装置であったが、カーテレビ装置やテレビ機能を備えたカーナビゲーションであっても良い。要するに、デジタル放送を受信できる装置であれば、どのようなものでも良い。
【産業上の利用可能性】
【００４２】
本発明は、自動車等の車両で移動しながら放送番組の再生又は録画を行う場合でも放送波の遅延に影響されず、コンテンツの先頭から最後尾まで再生又は録画を行うことができるといった効果を有し、デジタル放送受信装置、カーテレビ装置、テレビ放送受信機機能を備えたカーナビゲーションなどへの適用が可能である。
【図面の簡単な説明】
【００４３】
【図１】本発明の一実施の形態に係るデジタル放送受信装置の構成を示すブロック図
【図２】上記実施の形態に係るデジタル放送受信装置が受信する放送波を送信するデジタル放送送信装置で生成されるＮＩＴの一例を示す図
【図３】上記実施の形態に係るデジタル放送受信装置が受信する放送波を送信するデジタル放送送信装置で生成されるＳＤＴの一例を示す図
【図４】上記実施の形態に係るデジタル放送受信装置が受信する放送波を送信するデジタル放送送信装置で生成されるＥＩＴの一例を示す図
【図５】上記実施の形態に係るデジタル放送受信装置が受信する放送波を送信するデジタル放送送信装置で生成されるＰＡＴの一例を示す図
【図６】上記実施の形態に係るデジタル放送受信装置が受信する放送波を送信するデジタル放送送信装置で生成されるＰＭＴの一例を示す図
【図７】上記実施の形態に係るデジタル放送受信装置のシステムテーブル記憶部に記憶されているＳＤＴの一例を示す図
【図８】上記実施の形態に係るデジタル放送受信装置のシステムテーブル記憶部に記憶されているＥＩＴの一例を示す図
【図９】上記実施の形態に係るデジタル放送受信装置のシステムテーブル記憶部に記憶されているＰＡＴの一例を示す図
【図１０】上記実施の形態に係るデジタル放送受信装置のシステムテーブル記憶部に記憶されているＰＭＴの一例を示す図
【図１１】上記実施の形態に係るデジタル放送受信装置の予約情報記憶部に記憶されている予約情報の一例を示す図
【図１２】上記実施の形態に係るデジタル放送受信装置が受信する放送波を送信するデジタル放送送信装置に記憶されている予約制御情報の一例を示す図
【図１３】上記実施の形態に係るデジタル放送受信装置における番組予約の録画動作を説明するためのフローチャート
【図１４】デジタル放送送受信システムにおける問題点を説明するための図
【符号の説明】
【００４４】
１０  受信部
１１  ＴＳデコーダ部
１２  Ａ／Ｖデコーダ部
１３  再生部
１４  音声出力部
１５  映像出力部
１６  システムテーブル記憶部
１７  予約制御情報記憶部
１８  入力受信部
１９  受信制御部
２０  予約情報記憶部
２１  時間管理部
２２  ＧＰＳ受信部
２３  アンテナ
３０  受信管理装置
【図１】
2006054538.tif 000003
【図２】
2006054538.tif 000004
【図３】
2006054538.tif 000005
【図４】
2006054538.tif 000006
【図５】
2006054538.tif 000007
【図６】
2006054538.tif 000008
【図７】
2006054538.tif 000009
【図８】
2006054538.tif 000010
【図９】
2006054538.tif 000011
【図１０】
2006054538.tif 000012
【図１１】
2006054538.tif 000013
【図１２】
2006054538.tif 000014
【図１３】
2006054538.tif 000015
【図１４】
2006054538.tif 000016